(57)【特許請求の範囲】
【請求項１】
複数の画面画像を使用して前記画面画像に対する説明内容を撮像した動画情報と該動画情報に対応する画面画像を対応づける動画情報インデキシング支援装置であって、
複数の画面画像に対する経時的な操作に関連して発生するイベントと、該イベントに対応づけられた前記画面画像の情報とを含むイベント情報を記録する記録手段と、
利用者にイベント記録開始の旨およびイベント記録開始リセットの旨を入力させる入力制御手段と、
前記イベント情報を編集する編集手段と、
を備え、
前記記録手段は、前記入力制御手段よりイベント記録開始の旨が入力された時点からのイベントと前記画面画像の情報とを対応づけて前記イベント情報として記録し、
前記編集手段は、前記入力制御手段よりイベント記録開始リセットの旨が入力された場合、該イベント記録開始リセットの旨が入力された時点以降のイベントを有効なものとして前記イベント情報を更新する、
ことを特徴とする動画情報インデキシング支援装置。
【請求項２】
複数の画面画像を使用して前記画面画像に対する説明内容を撮像した動画情報と該動画情報に対応する画面画像を対応づける動画情報インデキシング支援装置で実行される動画情報インデキシング支援方法であって、前記動画情報インデキシング支援装置は、制御部と記憶部を備え、前記制御部において実行される、
記録手段が、複数の画面画像に対する経時的な操作に関連して発生するイベントと、該イベントに対応づけられた前記画面画像の情報とを含むイベント情報を記録するステップと、
入力制御手段が、利用者にイベント記録開始の旨およびイベント記録開始リセットの旨を入力させるステップと、
編集手段が、前記イベント情報を編集するステップと、
を含み、
前記記録手段は、前記入力制御手段よりイベント記録開始の旨が入力された時点からのイベントと前記画面画像の情報とを対応づけて前記イベント情報として記録し、
前記編集手段は、前記入力制御手段よりイベント記録開始リセットの旨が入力された場合、該イベント記録開始リセットの旨が入力された時点以降のイベントを有効なものとして前記イベント情報を更新する、
ことを特徴とする動画情報インデキシング支援方法。
【請求項３】
複数の画面画像を使用して前記画面画像に対する説明内容を撮像した動画情報と該動画情報に対応する画面画像を対応づける動画情報インデキシング支援処理をコンピュータに実行させるプログラムであって、
前記コンピュータを、
複数の画面画像に対する経時的な操作に関連して発生するイベントと、該イベントに対応づけられた前記画面画像の情報とを含むイベント情報を記録する記録手段と、
利用者にイベント記録開始の旨およびイベント記録開始リセットの旨を入力させる入力制御手段と、
前記イベント情報を編集する編集手段と、
として機能させ、
前記記録手段は、前記入力制御手段よりイベント記録開始の旨が入力された時点からのイベントと前記画面画像の情報とを対応づけて前記イベント情報として記録し、
前記編集手段は、前記入力制御手段よりイベント記録開始リセットの旨が入力された場合、該イベント記録開始リセットの旨が入力された時点以降のイベントを有効なものとして前記イベント情報を更新する、
ことを特徴とするプログラム。
【発明の詳細な説明】
【技術分野】
【０００１】
本発明は、動画情報と画面画像とを対応づけてインデキシングを行う際に、有効な動画情報に対応する有効な画面画像を選択する動画情報インデキシング支援装置、動画情報インデキシング支援方法およびプログラムに関する。
【背景技術】
【０００２】
例えばプレゼンテーションなど経時的に進行する場面単位のスライドなどの複数の画面画像と、この画面画像に対応した場面で撮像された映像の動画情報とを対応付けて記録された画像情報を編集する情報編集装置において、編集の際に、長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
映像等の動画情報に対しインデキシングを行なう場合、映像内容に関してどのようなイベントが発生したのか、映像内容に対してイベントに関する情報を付加する必要がある。この作業は、作業者が実際に撮影した映像をすべて見て映像の内容を把握し、場面の切り替わり、話題の切り替わりを判断し、付加すべきイベントに関する情報を決めていくことにより行われている。このようなインデキシングを施された映像情報は、場面単位での閲覧や、映像内容に付加した情報による検索を行なうことが可能となる。
【０００４】
このようなインデキシング技術としては、スライド等のドキュメントが表示されたタイミングに基づいて、当該ドキュメントに関連する映像を同期させるドキュメント処理方法が知られている（例えば、特許文献１、特許文献２、特許文献３、特許文献４）。
【０００５】
このようなインデキシングの従来技術では、通常、説明のための画面画像を切替え操作するプレゼンテーション用ＰＣ（Ｐｅｒｓｏｎａｌ  Ｃｏｍｐｕｔｅｒ）と。その映像をキャプチャするキャプチャ用ＰＣとを用いる。そして、プレゼンテーション用ＰＣとキャプチャ用ＰＣとをネットワークで接続せず別個に動作させて作業を行う場合には、プレゼンテーション用ＰＣ側で画面画像のプレゼンテーション資料と場面の切り替わりのイベントを記録したイベントファイルをキャプチャ用ＰＣに移動し、キャプチャ用ＰＣ側で、撮像した映像の動画情報と、イベントを対応づける作業を行う。
【０００６】
【特許文献１】特開２００２−２３２８５８号公報（第５−９頁）
【特許文献２】特開２００２−３５１８９０号公報
【特許文献３】特開２０００−０９９５２４５号公報
【特許文献４】特開平９−０１６７９９号公報
【発明の開示】
【発明が解決しようとする課題】
【０００７】
しかしながら、キャプチャ用ＰＣ側で、プレゼンテーション資料の画面画像と動画情報の対応付けを行ってコンテンツを生成する場合には、各イベントに対する画面画像の中で有効なものを選択する作業が必要となる。すなわち、プレゼンテーションを行う場合には、発表者は撮像を開始した後に練習のためにスライドを何回か表示したりするため、イベントファイルには、これら練習用の画面画像の表示切り替えなど不要なイベントが含まれてしまう。このため、発表ごとにイベント検出ソフトウェアを何回も起動したり、あるいは動画情報を再生しながら画面画像を確認するといった作業が必要となり、画面画像の有効な範囲を決定するための作業が煩雑となるという問題がある。
【０００８】
これは、プレゼンテーション用ＰＣとキャプチャ用ＰＣとをネットワークで接続せず別個に動作させて作業を行う場合に、プレゼンテーション用ＰＣでは、撮影開始や撮影終了のタイミングを検出することができないため、画面画像の切替え等によるイベント検出と、動画情報とが同期がとれず、後で、キャプチャ用ＰＣで不要部分の削除や適切な画面画像の特定などの作業量は膨大となってくる。
【０００９】
本発明は、上記に鑑みてなされたものであって、イベント情報に対する画面画像の有効な範囲を容易に決定して動画情報のインデキシング作業を効率的に行うことができる動画情報インデキシング支援装置、動画情報インデキシング支援方法およびその方法をコンピュータに実行させるプログラムに関する。
【課題を解決するための手段】
【００１０】
上述した課題を解決し、目的を達成するために、請求項１にかかる発明は、複数の画面画像を使用して前記画面画像に対する説明内容を撮像した動画情報と該動画情報に対応する画面画像を対応づける動画情報インデキシング支援装置であって、複数の画面画像に対する経時的な操作に関連して発生するイベントと、該イベントに対応づけられた前記画面画像の情報とを含むイベント情報を記録する記録手段と、利用者にイベント記録開始の旨およびイベント記録開始リセットの旨を入力させる入力制御手段と、前記イベント情報を編集する編集手段と、を備え、前記記録手段は、前記入力制御手段よりイベント記録開始の旨が入力された時点からのイベントと前記画面画像の情報とを対応づけて前記イベント情報として記録し、前記編集手段は、前記入力制御手段よりイベント記録開始リセットの旨が入力された場合、該イベント記録開始リセットの旨が入力された時点以降のイベントを有効なものとして前記イベント情報を更新する、ことを特徴とする。
【００１１】
この請求項１にかかる発明によれば、入力制御手段よりイベント記録開始の旨が入力された時点からのイベントと画面画像の情報とを対応づけてイベント情報として記録し、また、入力制御手段よりイベント記録開始リセットの旨が入力された場合、該イベント記録開始リセットの旨が入力された時点以降のイベントを有効なものとしてイベント情報を更新することにより、リセットが入力されるとそれまでに記録されていたイベントを無効とすることができ、画面画像の有効範囲を簡単に変更することができるとともに、動画情報のインデキシング作業を効率的に行うことができる。
【００１２】
また、請求項２にかかる発明は、複数の画面画像を使用して前記画面画像に対する説明内容を撮像した動画情報と該動画情報に対応する画面画像を対応づける動画情報インデキシング支援装置で実行される動画情報インデキシング支援方法であって、前記動画情報インデキシング支援装置は、制御部と記憶部を備え、前記制御部において実行される、記録手段が、複数の画面画像に対する経時的な操作に関連して発生するイベントと、該イベントに対応づけられた前記画面画像の情報とを含むイベント情報を記録するステップと、入力制御手段が、利用者にイベント記録開始の旨およびイベント記録開始リセットの旨を入力させるステップと、編集手段が、前記イベント情報を編集するステップと、を含み、前記記録手段は、前記入力制御手段よりイベント記録開始の旨が入力された時点からのイベントと前記画面画像の情報とを対応づけて前記イベント情報として記録し、前記編集手段は、前記入力制御手段よりイベント記録開始リセットの旨が入力された場合、該イベント記録開始リセットの旨が入力された時点以降のイベントを有効なものとして前記イベント情報を更新する、ことを特徴とする。
【００１３】
この請求項２にかかる発明によれば、入力制御手段よりイベント記録開始の旨が入力された時点からのイベントと画面画像の情報とを対応づけてイベント情報として記録し、また、入力制御手段よりイベント記録開始リセットの旨が入力された場合、該イベント記録開始リセットの旨が入力された時点以降のイベントを有効なものとしてイベント情報を更新することにより、リセットが入力されるとそれまでに記録されていたイベントを無効とすることができ、画面画像の有効範囲を簡単に変更することができるとともに、動画情報のインデキシング作業を効率的に行うことができる。
【００１４】
また、請求項３にかかる発明は、複数の画面画像を使用して前記画面画像に対する説明内容を撮像した動画情報と該動画情報に対応する画面画像を対応づける動画情報インデキシング支援処理をコンピュータに実行させるプログラムであって、前記コンピュータを、複数の画面画像に対する経時的な操作に関連して発生するイベントと、該イベントに対応づけられた前記画面画像の情報とを含むイベント情報を記録する記録手段と、利用者にイベント記録開始の旨およびイベント記録開始リセットの旨を入力させる入力制御手段と、前記イベント情報を編集する編集手段と、として機能させ、前記記録手段は、前記入力制御手段よりイベント記録開始の旨が入力された時点からのイベントと前記画面画像の情報とを対応づけて前記イベント情報として記録し、前記編集手段は、前記入力制御手段よりイベント記録開始リセットの旨が入力された場合、該イベント記録開始リセットの旨が入力された時点以降のイベントを有効なものとして前記イベント情報を更新することを特徴とする。
【００１５】
この請求項３にかかる発明によれば、入力制御手段よりイベント記録開始の旨が入力された時点からのイベントと画面画像の情報とを対応づけてイベント情報として記録し、また、入力制御手段よりイベント記録開始リセットの旨が入力された場合、該イベント記録開始リセットの旨が入力された時点以降のイベントを有効なものとしてイベント情報を更新することにより、リセットが入力されるとそれまでに記録されていたイベントを無効とすることができ、画面画像の有効範囲を簡単に変更することができるとともに、動画情報のインデキシング作業を効率的に行うことができる。
【発明の効果】
【００２７】
本発明によれば、入力制御手段よりイベント記録開始の旨が入力された時点からのイベントと画面画像の情報とを対応づけてイベント情報として記録し、また、入力制御手段よりイベント記録開始リセットの旨が入力された場合、該イベント記録開始リセットの旨が入力された時点以降のイベントを有効なものとしてイベント情報を更新することにより、リセットが入力されるとそれまでに記録されていたイベントを無効とすることができ、画面画像の有効範囲を簡単に変更することができるとともに、動画情報のインデキシング作業を効率的に行うことができるという効果を奏する。
【発明を実施するための最良の形態】
【００３６】
以下に添付図面を参照して、この発明にかかる動画情報インデキシング支援装置、動画情報インデキシング支援方法およびその方法をコンピュータに実行させるプログラムの最良な実施の形態を詳細に説明する。
【００３７】
（実施の形態１）
図１は、この発明の実施の形態１にかかる動画情報インデキシング支援装置５を含む動画情報インデキシング支援システム１の全体構成を示している。
【００３８】
動画情報インデキシング支援システム１は、プレゼンテーション資料３１を格納するＰＣ２（プレゼンテーション用ＰＣ）と、このＰＣ２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集する情報提供装置５（キャプチャ用ＰＣ）とを備えている。この情報提供装置は本発明における動画情報インデキシング支援装置を構成する。
【００３９】
ＤＶカメラ４と情報提供装置５は、例えば、ＩＥＥＥ１３９４などのインターフェイスで接続されている。また、ＰＣ２と情報提供装置５は、ＩＥＥＥ８０２．１１ｂなどの通信インターフェイスで接続することができる。ただし、本実施の形態では、ＰＣ２と情報提供装置５はこのようなネットワークで接続されていない形態を考える。
【００４０】
ＰＣ２は、単にプレゼンテーション資料３１を格納しており、投影機３と通信可能であればよく、例えば、プレゼンターの所有するＰＣであってもよい。
【００４１】
本実施の形態では、電子化されたプレゼンテーション資料を用いた講演や発表などを映像で録画記録する場合を例として説明する。このようなプレゼンテーションを行なう場合、通常、発表者は、プロジェクター等の投影機に接続したＰＣ２に電子化されたプレゼンテーション資料を格納し、発表時には、このプレゼンテーション資料を投影機で表示するプレゼンテーション・ソフトを操作しながら発表を進めていく。
【００４２】
編集者は、プレゼンターがプレゼンテーション資料３１を表示画面３０に表示させながらプレゼンテーションを行っている様子を、ＤＶカメラ４を用いて撮影する。ここで、編集者とは、動画情報インデキシング支援システム１を利用して動画を編集する者のことである。
【００４３】
撮影が終了すると、情報提供装置５は、ＰＣ２から  プレゼンテーション資料３１を取得し、さらに、ＤＶカメラ４からプレゼンテーションの様子を示す動画情報を取得する。そして、情報提供装置５は、動画情報を編集する。すなわち、動画情報にプレゼンテーション資料３１を対応付けた情報ファイルを生成する。
【００４４】
図２は、ＰＣ２および情報提供装置５のハードウエア構成を示すブロック図である。図２に示すように、ＰＣ２，情報提供装置５は、各種演算を行ない各部を集中的に制御するＣＰＵ１１と、各種のＲＯＭ、ＲＡＭからなるメモリ１２とが、バス１３で接続されている。
【００４５】
バス１３には、所定のインターフェイスを介して、ハードディスクなどの磁気記憶装置１４と、入力装置であるマウス１５と、入力装置であるキーボード２１と、ＬＣＤ等の表示装置１６とを備えている。また、光ディスクなどの記憶媒体１７を読み取る記憶媒体読取装置１８が接続可能であり、インターネットなどのネットワーク１９と通信を行なう所定の通信インターフェイス２０が接続されていてもよい。なお、記憶媒体１７としては、ＣＤ，ＤＶＤなどの光ディスク、光磁気ディスク、フレキシブルディスクなどの各種方式のメディアを用いることができる。また、記憶媒体読取装置１８は、具体的には記憶媒体１７の種類に応じて光ディスク装置、光磁気ディスク装置などが用いられる。
【００４６】
ＰＣ２，５のそれぞれには、その磁気記憶装置１４に、この発明のプログラムを実現する動画情報インデキシング支援プログラムが記憶されている。この動画情報インデキシング支援プログラムは、記憶媒体１７から記憶媒体読取装置１８により読み取るか、あるいは、インターネットなどのネットワーク１９からダウンロードするなどして、磁気記憶装置１４にインストールしたものである。このインストールによりＰＣ２，５は動作可能な状態となる。すなわち、ＣＰＵ１１が動画情報インデキシング支援プログラムに基づいて動作することにより、後述の各種モジュールの機能をそれぞれ実現する。なお、動画情報インデキシング支援プログラムは、特定のアプリケーションソフトの一部をなすものであってもよい。また、所定のＯＳ上で動作するものであってもよい。また、ＰＣ２の磁気記憶装置１４には、所定のプレゼンテーション・ソフトも記憶されている。
【００４７】
以下では、動画情報インデキシング支援プログラムに基づいて動画情報インデキシング支援システム１が行なう処理の内容について説明する。
【００４８】
図３は、動画情報インデキシング支援プログラム等に基づいて実現される動画情報インデキシング支援システム１の機能ブロック図である。
【００４９】
ＰＣ２は、その磁気記憶装置１４に電子化されたプレゼンテーション資料３１が記憶されていて、ユーザはプレゼンテーション・ソフトによりプレゼンテーション資料３１を用いたプレゼンテーションを行なう。このとき、ＰＣ２は、後述のイベントを発生するイベント発生装置として機能する。ここで、プレゼンテーション資料３１の各スライドは本発明の画面画像に相当する。
【００５０】
ここで、図４を参照しつつ、プレゼンテーション資料３１について説明する。プレゼンテーション資料３１は、プレゼンテーションの際に表示画面３０に表示すべきスライド３１０，３１２，３１４，３１６，３１８，３２０を含んでいる。各スライド３１０，３１２，３１４，３１６，３１８，３２０には、ページ番号が対応付けられており、ページ番号順に表示される。すなわち、プレゼンテーション資料３１を構成するスライドは、当該プレゼンテーション資料３１の作成者が定めた順番に配列されている。図３に示すプレゼンテーション資料３１は、６ページ分のスライドを含んでいる。これらは、プレゼンターからの指示により、１ページ、２ページ、・・・とページ順に表示される。なお、本実施の形態におけるプレゼンテーション資料３１は、パワーポイントＭｉｃｒｏｓｏｆｔ（Ｒ）社製のＰｏｗｅｒ Ｐｏｉｎｔ（Ｒ）のファイルである。
【００５１】
通常、プレゼンテーションを行なう場合のＰＣ２の操作は以下のような手順である。
【００５２】
１．ＰＣ２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．ＰＣ２の終了
ここで、ページめくりとは、表示画面３０に表示させる、プレゼンテーション資料３１を１ページから次のページすなわち２ページに切り替えることである。
【００５３】
以上の操作は、いずれもマウス１５またはキーボード２１における所定の操作に対応付けられている。例えば、ＰＣ２の表示画面に表示されたプレゼンテーション・ソフトのアイコンをマウス１５によりクリックする操作は、プレゼンテーション・ソフトの起動というイベントに対応付けられている。
【００５４】
ＰＣ２は、動画情報インデキシング支援プログラムに基づいてイベント送信装置３２としても機能して、イベント発生装置としてのＰＣ２の操作、すなわち、プレゼンテーションの発表時にＤＶカメラ４で撮影する映像内容に関して発生するイベントを的確に記録することで、ＤＶカメラ４で撮影する映像に対するインデキシングを効率良く行なうことを支援する。
【００５５】
前述のような手順でプレゼンテーションの発表が行われる際に、ＰＣ２上で捉えることができる映像内容に関して発生するイベントとしては、例えば以下の１〜３に示すようなものがある。すなわち、ここでは、ＤＶカメラ４の映像内容の被写体の少なくとも一部をなすプレゼンテーション映像の画面の切換えを行なう、利用者によるコンピュータ操作をイベントとしている。また、このイベントに関する情報であるイベント情報として、イベントの種類とそのカウンタ値も正確に記録する必要がある。
【００５６】
１．プレゼンテーション・ソフトの起動、終了
２．キーボード２１の操作（どのキーが押されたか）
３．マウス１５の操作（ドラッグ、クリック）
そこで、ＰＣ２は、イベントキャプチャ部３３により、これらのイベントの種類とそのカウンタ値をイベント情報として取得する。そして、イベント記録部３４は、このイベント情報のログを記録し、ＨＤＤ３５にイベントファイル５０として保存する。イベントファイル５０は、利用者によって、情報提供装置５に移動され、情報提供装置５のＨＤＤ４９に保存される。また、プレゼンテーション資料３１も利用者によって、情報提供装置５のＨＤＤ４９に移動される。
【００５７】
撮影機器制御部３９は、イベントファイルの内容情報に基づいてＤＶカメラ４を制御する。映像キャプチャ部４０は、ＤＶカメラ４で撮影した画像をキャプチャする。動画情報管理部４１は、ＤＶカメラ４で撮影した画像の動画情報を記憶して管理する。また、イベント記録部３８はＤＶカメラ４の制御のイベント情報をイベントファイルに記録する。
【００５８】
イベント解釈部４２は、イベント情報の内容を読み込んで、各イベントに対応した画面画像のファイル名を抽出するものである。検索部４５は、イベント解釈部４２によって抽出された画面画像のファイル名をＨＤＤ４９のプレゼンテーション資料３１から検索するものである。イベント編集部４６は、利用者からの指示によってイベントファイル５０を編集するものである。インデックス生成部４３は、ＰＣ５の磁気記憶装置１４に記憶されているプレゼンテーション資料３１（画面画像）、動画情報及びイベントファイルに基づいて、ＤＶカメラ４で撮影した動画情報のインデキシングを行なうものである。ここで、イベント解釈部４２は本発明における解釈手段を、検索部４５は本発明における検出手段を、イベント編集部４６は本発明における編集手段を構成する。
【００５９】
表示制御部４８は、後述するイベント編集画面をディスプレイ装置等の表示装置１６に表示するものである。入力制御部４７は、イベント編集画面からの入力を受け付けるものである。
【００６０】
図５は、イベントファイル５０の内容を示す説明図である。イベントファイル５０は、カウンタ値３４１，イベント種類３４０，画面画像ファイル３４３が、各イベントの発生した順番に配列されている。カウンタ値は、ＣＰＵやメモリを利用して、ある単位で値が一つずつ加算されるカウンタを用意する。このカウンタは、プレゼンテーションの発表開始と同時、一例として、プレゼンテーション・ソフトウェアの起動時に指定値（通常は０値）にリセットする。例えばページ２が表示されると、「ページ２に切り替え」というイベント情報が記録される。これにより、各ページの表示を開始したカウンタ値および表示を終了したカウンタ値、このときの画面画像ファイルを認識することができる。ここで、図５に示すイベントファイルの例では、ページ１に切替えのイベントが２つある。このうち、最初のページ１に切替えは、発表者が練習を行った者と考えられ、削除する必要がある。かかる処理については後述する。
【００６１】
次に、このように構成された本実施の形態の情報提供装置５によるイベントファイルの表示処理について説明する。図６は、イベントファイルの表示処理の手順を示すフローチャートである。
【００６２】
まず、表示制御部４８がイベント編集画面を表示する（ステップＳ６０１）。図７はイベント編集画面の一例を示す説明図である。イベント編集画面には、まず動画情報のファイル名、イベントファイル名が表示される。
【００６３】
次いで、イベント解釈部４２がＨＤＤ４に保存されているイベントファイル５０を読み込み（ステップＳ６０２）、その内容を解釈し（ステップＳ６０３）、イベントファイル５０に記録されているイベント、画面画像のファイル名を抽出する。抽出された画面画像のファイル名は、表示制御部によって、図７に示すイベント編集画面のスライド領域のファイル名の欄に表示される。
【００６４】
次に、検索部４５が、抽出されたファイル名の画面画像をＨＤＤ４９のプレゼンテーション資料３１から検索し（ステップＳ６０４）、画面画像のファイルがＨＤＤ４９に存在するか否かを判断する（ステップＳ６０５）。
【００６５】
そして、画面画像のファイルが存在すると判断された場合には、表示制御部４８は、図７に示すイベント編集画面のスライド領域のチェックボックスをＯＮにし、かつそのファイルパスをスライド領域のファイルパスの欄に表示する（ステップＳ６０６）。一方、画面画像のファイルが存在しないと判断された場合には、表示制御部４８は、図７に示すイベント編集画面のスライド領域のチェックボックスをＯＦＦにし、かつスライド領域のファイルパスを空欄として表示する（ステップＳ６０７）。このように、表示制御部４８は、画面画像のファイルの存在、非存在によってイベント編集画面の表示を区別して表示している。
【００６６】
次に、このようなイベント編集画面を利用したイベントファイルに対する画面画像の有効範囲の設定処理について説明する。図８は、イベントファイルに対する画面画像の有効範囲の設定処理の手順を示すフローチャートである。
【００６７】
利用者は、イベント編集画面によって、イベントファイルに対する画面画像の有効範囲を設定する。ここで、図７に示す例では、画面画像であるlesson1.pptが２つある。これは、前述したように、発表者が練習のために最初のlesson1.pptを表示したものと考えられる。このため、利用者は、最初のlesson1.pptのチェックボックスをＯＦＦにして、２つ目のlesson1.pptとそれ以降の画面画像のチェックボックスをＯＮにする。このようにチェックボックスがＯＮに設定された画面画像がイベントファイルに対する有効な画面画像であると設定する。そして、利用者はイベント編集画面上でＯＫボタンをクリックする。
【００６８】
入力制御部４７は、イベントの入力待ち状態にあり（ステップＳ８０１）、ＯＫイベントを受信すると、イベント編集画面においてチェックボックスがＯＮに設定されている画面画像のファイルをイベントファイルの有効範囲と設定する（ステップＳ８０２）。具体的には、イベント編集部４６によって、イベントファイルからチェックボックスがＯＦＦに設定されている画面画像のファイルおよびイベントを削除する。図７の例で最初のlesson1.pptのチェックボックスをＯＦＦにした場合には、図５に示すイベントファイルの「１４：５４：２３  ページ１に切替え  lesson1.ppt」の行が削除されてイベントファイルが更新される。
【００６９】
このように本実施の形態の情報提供装置５によれば、イベントファイルに対する画面画像の有効範囲を容易な操作で実現することができる。
【００７０】
（実施の形態２）
実施の形態１では、情報提供装置５とＰＣ２が別個に動作するものであったが、この実施の形態２では情報提供装置５とＰＣ２がネットワークに接続された場合に画面画像の有効範囲の設定を行うものである。
【００７１】
図９は、動画情報インデキシング支援プログラム等に基づいて実現される動画情報インデキシング支援システム１の機能ブロック図である。本実施の形態では、イベントはＰＣ２のイベント送信部４４から情報提供装置５に送信され、情報提供装置５のイベント受信部３６でイベント、画面画像を受信してメモリ１２などに一時的に保存しておき、保存されたイベントからイベントファイルがＨＤＤ４９に生成されるようになっている。
【００７２】
このとき、発表者または利用者は、練習などが終了し、発表を開始する場合、図７に示すイベント編集画面においてリセットボタンを押下する。図１０は、イベントファイルに対する画面画像の有効範囲の設定処理の手順を示すフローチャートである。
【００７３】
入力制御部４７は、イベントの入力待ち状態にあり（ステップＳ１００１）、リセットイベントを受信すると、その時点からの画面画像のファイルをイベントファイルの有効範囲と設定する（ステップＳ１００２）。具体的には、リセットイベントを受信した時点以降の画面画像のファイル名をイベントファイルに記録する。
【００７４】
また、発表の途中ですべての画面画像に対するイベントを記録するように変更する場合には、さらにリセットボタンを押下する。これによって、メモリ１２に保存されていたすべてイベント、画面画像ファイル名がイベントファイルに記録されることになる。
【００７５】
このように実施の形態２では、ＰＣ２と情報提供装置５とがネットワークで接続されている場合において、簡易な操作によってイベント情報に対する画面画像の有効な範囲を容易に決定することができ、動画情報のインデキシング作業を効率的に行うことができる。
【産業上の利用可能性】
【００７６】
本発明は、プレゼンテーションなどのをＤＶカメラで撮影して動画情報とするとともに、プレゼンテーション資料を画面画像情報にして両者を対応付けて編集する動画情報インデキシング支援装置、動画情報インデキシング支援方法およびその方法をコンピュータに実行させるプログラムに適している。
【図面の簡単な説明】
【００７７】
【図１】動画情報インデキシング支援システム１の全体構成を示す図である。
【図２】実施の形態１の情報提供装置５およびＰＣ２のハードウェア構成を示すブロック図である。
【図３】情報提供装置５と、ＰＣ２の機能構成を示すブロック図である。
【図４】プレゼンテーション資料３１を模式的に示す説明図である。
【図５】イベントファイルの内容の一例を示す説明図である。
【図６】イベント編集画面の表示処理の手順を示すフローチャートである。
【図７】イベント編集画面の一例を示す説明図である。
【図８】イベントファイルに対する画面画像の有効範囲の設定処理の手順を示すフローチャートである。
【図９】実施の形態２の情報提供装置５およびＰＣ２のハードウェア構成を示すブロック図である。
【図１０】イベントファイルに対する画面画像の有効範囲の設定処理の手順を示すフローチャートである。
【符号の説明】
【００７８】
１  動画情報インデキシング支援システム
２  ＰＣ（プレゼンテーション装置）
３  投影機
４  ＤＶカメラ
５  情報提供装置（キャプチャＰＣ）
１５  マウス
２１  キーボード
３１  プレゼンテーション資料
３３  イベントキャプチャ部
３４  イベント記録部
３５  ＨＤＤ
３６  イベント受信部
３７  イベント制御部
３８  イベント記録部
３９  撮影機器制御部
４０  映像キャプチャ部
４１  動画情報管理部
４２  イベント解釈部
４３  インデックス生成部
４４  イベント送信部
４５  検索部
４６  イベント編集部
４７  入力制御部
４８  表示制御部
４９  ＨＤＤ
５０  イベントファイル通信部
１１  ＣＰＵ
１２  メモリ
１３  バス
１４  ＨＤＤ
１５  マウス
１６  表示装置
１７  記憶媒体
１８  記憶媒体読取装置
１９  ネットワーク
２０  通信Ｉ／Ｆ
３１０，３１２，３１４，３１６，３１８，３２０  画面画像
【図１】
0004116513.tif 000002
【図２】
0004116513.tif 000003
【図３】
0004116513.tif 000004
【図４】
0004116513.tif 000005
【図５】
0004116513.tif 000006
【図６】
0004116513.tif 000007
【図７】
0004116513.tif 000008
【図８】
0004116513.tif 000009
【図９】
0004116513.tif 000010
【図１０】
0004116513.tif 000011